(57)【要約】【課題】  施工と共に前面を均一に緑化できる緑化仮囲いを得る。【解決手段】  ２本の断面略コ字型形状のアルミニウム製の支柱２、３は２本の連結部材により連結されている。支柱２、３間に、上方から複数個の苗床保持具１１を順次に挿入する。苗床保持具１１の前面のシート２１には複数の十字状の切れ目２２が設けられ、この切れ目２２から草花苗３２の根元を挿入することにより、シート２１の前面に花や茎葉が露出する。このように前面を緑化した緑化仮囲いを、従来の鋼板製の仮囲いの代りに用いることにより、近隣住民や通行人に好印象を与えることができる。【選択図】        図６
2007259786.tif 000002
【特許請求の範囲】
【請求項１】
断面略コ字型形状の２本の支柱と、これらの支柱間を連結する連結部材から成るフレームと、前記支柱のコ字型形状部間に挿入すると共に前面に向けて複数個の凹部を有する苗床保持具とから成り、該苗床保持具の凹部内に草花苗の根元を挿入したことを特徴とする緑化仮囲い。
【請求項２】
前記苗床保持具の前面にはシートを貼り付け、前記凹部前方の前記シートに十字状の切れ目を設けたことを特徴とする請求項１に記載の緑化仮囲い。
【請求項３】
前記草花苗の根元を不織布を介して育成に必要な土壌と共に包み込み、前記草花苗の根元を前記苗床保持具の凹部に前記シートの切れ目から挿入したことを特徴とする請求項２に記載の緑化仮囲い。
【請求項４】
前記苗床保持具を前記支柱間に複数段に積層することを特徴とする請求項１〜３の何れか１つの請求項に記載の緑化仮囲い。
【請求項５】
前記支柱の後方に前記草花苗に潅水する潅水手段を備えたことを特徴とする請求項１〜４の何れか１つの請求項に記載の緑化仮囲い。
【請求項６】
前記支柱間の底部に水受タンクを配置し、該水受タンク上に前記苗床保持具を複数段に積層したことを特徴とする請求項１〜５の何れか１つの請求項に記載の緑化仮囲い。
【発明の詳細な説明】
【技術分野】
【０００１】
本発明は、例えば工事現場の周辺を緑化して囲う緑化仮囲いに関するものである。
【背景技術】
【０００２】
近年、ビルやマンション等の建設現場等では、工事期間中の事故防止等のために周囲を鋼板製の仮囲いを用いて囲んでいる。
【０００３】
この工事現場等で使用する仮囲いは、通常では単に鋼板を加工したものであり、高々表面に絵や広告を表示させていることから殺風景であり、更にこの鋼板製の仮囲いを屋外で或る程度の期間使用すると、傷や汚れが目立つようになってくる。
【０００４】
また特許文献１、２には、上方から蔓科植物を垂らすことにより緑化する仮囲いが提案されている。
【０００５】
【特許文献１】特開平８−９３２７６号公報
【特許文献２】実用新案登録第３０４２０４０号公報
【発明の開示】
【発明が解決しようとする課題】
【０００６】
しかし、これらの特許文献１、２に示す仮囲いの緑化手段においては、鋼板製の仮囲いの上部から長尺に伸びる蔓科植物を垂らすだけのため、仮囲いの上部は緑化されるが、仮囲いの下部まで緑化するには、蔓科植物の成長を待つ必要があり、多大な時間が掛かってしまい、仮囲いの前面が均一に緑化される前に工事が終了してしまうこともある。
【０００７】
仮に、仮囲い前面が均一に緑化されたとしても、上部から長尺の蔓科植物が垂れているだけであるため、強風が吹くと蔓科植物が風になびき、通行の妨げとなることもある。更には、強風により伸びた蔓が切れて、道路等に散乱してしまう虞れも生ずる。
【０００８】
本発明の目的は、上述の課題を解決し、施工と共に仮囲い前面を均一に緑化でき、近隣住民や通行人に緑化による好印象を与えることができる緑化仮囲いを提供することにある。
【課題を解決するための手段】
【０００９】
上述の目的を達成するための本発明に係る緑化仮囲いの技術的特徴は、断面略コ字型形状の２本の支柱と、これらの支柱間を連結する連結部材から成るフレームと、前記支柱のコ字型形状部間に挿入すると共に前面に向けて複数個の凹部を有する苗床保持具とから成り、該苗床保持具の凹部内に草花苗の根元を挿入したことにある。
【発明の効果】
【００１０】
本発明に係る緑化仮囲いによれば、仮囲いを設置する際に前面を均一に緑化できると共に、通常の草花苗を使用するため、近隣住民や通行人の気持ちを和ませる。
【発明を実施するための最良の形態】
【００１１】
本発明を図示の実施例に基づいて説明する。
図１は本実施例における緑化仮囲いのフレーム１の斜視図を示しており、断面略コ字型形状の２本のアルミニウム製の支柱２、３が、背面において複数本の連結部材４、５により連結されている。支柱２、３は背面側の面２ａ、３ａの幅は前面側の面２ｂ、３ｂの幅よりも広くされている。また、支柱２、３の底面には底部部材６が取り付けられている。更に、この底部部材６上には上部に開口７ａを有する水受タンク７が載置されている。
【００１２】
図２は支柱２、３間に挿入する合成樹脂製から成る苗床保持具１１の斜視図を示しており、苗床保持具１１には複数の草花苗を配置するために、例えば３×６の１８個の凹部１２が設けられている。なお、苗床保持具１１は軽量化及び排水性を向上させるために多数の肉抜き、切抜きがなされている。なお、この苗床保持具１１は農園や花屋店頭等で使用されている生育用、運搬用の合成樹脂製トレイをそのまま使用することができる。
【００１３】
図３は苗床保持具１１の前面に合成樹脂製の例えば緑色のシート２１を接着した状態の斜視図を示し、各凹部１２ごとの前方のシート２１には、凹部１２に後述する草花苗を挿入し、また茎葉を出すための十字状の切れ目２２が設けられている。
【００１４】
図４は前面にシート２１を接着した苗床保持具１１を、フレーム１に対して垂直に挿入した状態の斜視図を示しており、２本の支柱２、３の面２ａ、２ｂ及び３ａ、３ｂから成るコ字型形状部間に、上方から水受タンク７を挿入した後に、複数個の苗床保持具１１を順次に積層して挿入する。本実施例においては、複数個の苗床保持具１１を用いたが、苗床保持具１１を大きくして、苗床保持具１１の数を少なくすることもできる。また、支柱２、３の底面には底部部材６を取り付けていることにより、水受タンク７及び苗床保持具１１がフレーム１の底部から抜け落ちることはない。
【００１５】
フレーム１は金属製の通常の仮囲いの間の適当な位置に、通常の仮囲いと同様に単管による支柱を組んだ後に、仮囲い背面に取り付けてあるフック等を掛けて設置する。また、フレーム１を隣接して並べる場合には、フレーム１同士を連結して固定することもできる。
【００１６】
図５は透水性を有する巾着式の不織布３１により、土壌と共に根元を包んだ草花苗３２の概略図を示している。透水性を有する袋状の不織布３１を用いて土壌を包むことにより、雨水や散水を通すことができ、凹部１２からの土壌の流出を防止できる。また、袋の入口を紐で軽く縛る巾着式としたことにより、草花苗３２の根元及び土壌を容易かつ確実に包み込むことができる。
【００１７】
図６はフレーム１の苗床保持具１１の凹部１２に草花苗３２を挿入した状態の斜視図を示している。シート２１には十字状の切れ目２２が設けられているので、この切れ目２２から図５に示す草花苗３２の不織布３１に包まれた根元を挿入する。
【００１８】
なお、農園等において、図３に示すように苗床保持具１１を水平に載置し、不織布３１で包んだ草花苗３２の根元を、シート２１の切れ目２２から凹部１２内に挿入し、その状態で数日〜数週間生育させて、或る程度生育した草花苗３２を植え付けた苗床保持具１１を、フレーム１に装着してもよい。
【００１９】
また、緑色のシート２１を用いると、草花苗３２が十分に成育していなくとも、或る程度の緑化がなされているように見える。
【００２０】
また、シート２１の十字状の切れ目２２から凹部１２内に草花苗３２を容易に挿脱できるので、例えばこの緑化仮囲いの使用中に一部の草花苗３２が枯れてしまった場合でも、枯れた草花苗３２のみを容易に交換することができ、仮囲いを解体することなくメンテナンスを行うことができる。
【００２１】
フレーム１の背面側から潅水手段を介して個々の草花苗３２の根元に、タイマ等を用いて一定時間毎に潅水することもできる。また、スプリンクラ等の潅水手段を用いて霧状として散水してもよい。
【００２２】
また、潅水した水のうち余分な水分或いは余った雨水は苗床保持具１１の下部に配置した水受タンク７内に開口７ａを介して貯水され、図示しないポンプを用いて再利用できる。更には、耐乾性の高い草花苗３２を用いれば、雨水のみにより緑化を維持することもできる。
【図面の簡単な説明】
【００２３】
【図１】フレームの斜視図である。
【図２】苗床保持具の斜視図である。
【図３】シートを接着した苗床保持具の斜視図である。
【図４】フレームに苗床保持具を挿入した状態の斜視図である。
【図５】草花苗の概略図である。
【図６】苗床保持具に草花苗を取り付けた状態の斜視図である。
【符号の説明】
【００２４】
１  フレーム
２、３  支柱
４、５  連結部材
６  底部部材
７  水受タンク
１１  苗床保持具
１２  凹部
２１  シート
２２  切れ目
３１  不織布
３２  草花苗
【図１】
2007259786.tif 000003
【図２】
2007259786.tif 000004
【図３】
2007259786.tif 000005
【図４】
2007259786.tif 000006
【図５】
2007259786.tif 000007
【図６】
2007259786.tif 000008